(57)【要約】【課題】本発明は加湿装置に関するもので、水タンク部の水容量の更なる向上できるものである。【解決手段】そしてこの目的を達成するために本発明は、水タンク部１３は、水タンク着脱部１６に横方向から水タンク部１３の下面を中心に水タンク部１３の上面を回転することにより着脱可能な構成とし、固定手段１７は、水タンク着脱部１６の天面から下方へ突出すると共に上方向へ移動可能な水タンク保持部２３と、この水タンク保持部２３を下方向へ付勢する付勢部２４と、本体ケース４の一方側側面に設けた押しボタン部２５と、水タンク部１３を水タンク着脱部１６に装着すると、水タンク保持部２３が引っ掛かるタンク固定板部分１９に設けた窪みである水タンク保持受け部２６とからなり、押しボタン部２５を押すと水タンク保持部２３を上方へ移動する構成としたものである。【選択図】図１
2014190608.tif 000002
【特許請求の範囲】
【請求項１】
吸気口と排気口を有する本体ケースと、この本体ケース内に設けられた加湿手段と、前記吸気口から前記加湿手段を介し、前記排気口へ空気を送風する送風手段と、前記加湿手段に水を供給する水タンク部と、この水タンク部が装着可能な前記本体ケースの一方側側面に設けた窪みである水タンク着脱部と、この水タンク着脱部に前記水タンク部を固定可能な固定手段とからなり、前記水タンク部は、水を貯水可能なタンク部分と、このタンク部分に固定された前記本体ケースの一部となるタンク固定板部分とからなり、このタンク固定板部分には窪みであるタンク取手部分を備え、前記水タンク部は、前記水タンク着脱部に横方向から前記水タンク部の下面を中心に前記水タンク部の上面を回転することにより着脱可能な構成とし、前記固定手段は、前記水タンク着脱部の天面から下方へ突出すると共に上方向へ移動可能な水タンク保持部と、この水タンク保持部を下方向へ付勢する付勢部と、前記本体ケースの一方側側面に設けた押しボタン部と、前記水タンク部を前記水タンク着脱部に装着すると、前記水タンク保持部が引っ掛かる前記タンク固定板部分に設けた窪みである水タンク保持受け部とからなり、前記押しボタン部を押すと前記水タンク保持部を上方へ移動することを特徴とする加湿装置。
【請求項２】
前記タンク取手部分の上方に前記押しボタン部を備え、前記押しボタン部と前記タンク取手部分との距離は、前記タンク取手部分に人差し指を入れた状態で親指が前記押しボタン部に届く距離であることを特徴とする加湿装置。
【請求項３】
前記押しボタン部は、前記本体ケースにおける内方へ突出した板形状の垂直面である押しボタン突出部を備え、この押しボタン突出部の先端は、上方から下方へ向かうにつれて前記本体ケースにおける内方へ突出する押しボタン傾斜端部を有し、前記水タンク保持部は、前記本体ケースにおける外方へ突出した板形状の垂直面である水タンク保持突出部を備え、この水タンク保持突出部の先端は、下方から上方へ向かうにつれて前記本体ケースにおける外方へ突出する水タンク保持傾斜端部を有し、前記押しボタン傾斜端部と前記水タンク保持傾斜端部とが接触する構成とし、前記押しボタン突出部は、前記押しボタン部の上部に位置する構成であることを特徴とする加湿装置。
【請求項４】
前記本体ケースの一方側側面で、前記押しボタン部の上方には、窪みである本体ケース取手部分を備えことを特徴とする加湿装置。
【請求項５】
前記水タンク部を前記水タンク着脱部に装着した状態で、前記タンク部分は、下面に蓋を有する略箱形状の容器と、前記蓋部に設けた弁とからなり、前記水タンク部を前記本体ケースから外し前記容器部の前記蓋部を上方にすると支持部が自動的に出現し、この支持部と前記タンク固定板部分とによって、前記水タンク部が自立する構成とし、この支持部と前記水タンク保持受け部とは、前記水タンク部が自立した状態で、前記水タンク部の下部に設けたことを特徴とする加湿装置。
【発明の詳細な説明】
【技術分野】
【０００１】
本発明は、空気を加湿することのできる加湿装置に関する。
【背景技術】
【０００２】
従来のこの種の加湿装置の構成は以下のようになっていた。
【０００３】
すなわち、吸気口と排気口を有する本体ケースと、この本体ケース内に設けられた加湿手段と、前記吸気口から前記加湿手段を介し、前記排気口へ空気を送風する送風手段と、前記加湿手段に水を供給する水タンク部と、この水タンク部が装着可能な前記本体ケースの一方側側面に設けた窪みである水タンク着脱部と、この水タンク着脱部に前記水タンク部を固定可能な固定手段とからなり、前記水タンク部は、水を貯水可能なタンク部分と、このタンクに固定された前記本体ケースの一部となるタンク固定板部分とからなり、このタンク固定板部分には窪みであるタンク取手部分を備え、前記水タンク部は、前記水タンク着脱部に横方向から前記水タンク部の下面を中心に前記水タンク部の上面を回転することにより着脱可能な構成とし、前記固定手段は、前記水タンク着脱部の天面から下方へ突出する突起である水タンク保持受け部と、タンク固定板部分には、斜め下方向へ移動可能な水タンク保持部と、この水タンク保持部を斜め上方向へ付勢する付勢部と、押しボタン部とを備え、この押しボタン部を押すと前記水タンク保持部を斜め下方向へ移動する構成となっていた。
【０００４】
（例えば、これに類似する先行文献は下記特許文献１に記載されている。）
【先行技術文献】
【特許文献】
【０００５】
【特許文献１】特開２０１２−０３２０７２号公報
【発明の概要】
【発明が解決しようとする課題】
【０００６】
上記従来例における課題は、水タンク部の水容量の更なる向上であった。
【０００７】
従来の物は、水タンク部が本体ケース側面に設けられており、横方向から水タンク着脱部に着脱可能な構成となっている。ここで、水タンク着脱部に水タンク部を固定する固定手段を備えていた。この固定手段は、水タンク着脱部の天面から下方へ突出する突起である水タンク保持受け部と、タンク固定板部分には、斜め下方向へ移動可能な水タンク保持部と、この水タンク保持部を斜め上方向へ付勢する付勢部と、押しボタン部とを備えていた。
【０００８】
すなわち、水タンク保持受け部は、水タンク着脱部の天面から下方へ突出し、タンク固定板部分には、斜め下方向へ移動可能な水タンク保持部と、この水タンク保持部を斜め上方向へ付勢する付勢部と、押しボタン部とを備えていたので、これらの部品によって水タンク部の水容量が小さくなっていた。
【０００９】
そこで本発明は、水タンク部の水容量の更なる向上を目的とするものである。
【課題を解決するための手段】
【００１０】
そしてこの目的を達成するために本発明は、吸気口と排気口を有する本体ケースと、この本体ケース内に設けられた加湿手段と、前記吸気口から前記加湿手段を介し、前記排気口へ空気を送風する送風手段と、前記加湿手段に水を供給する水タンク部と、この水タンク部が装着可能な前記本体ケースの一方側側面に設けた窪みである水タンク着脱部と、この水タンク着脱部に前記水タンク部を固定可能な固定手段とからなり、前記水タンク部は、水を貯水可能なタンク部分と、このタンクに固定された前記本体ケースの一部となるタンク固定板部分とからなり、このタンク固定板部分には窪みであるタンク取手部分を備え、前記水タンク部は、前記水タンク着脱部に横方向から前記水タンク部の下面を中心に前記水タンク部の上面を回転することにより着脱可能な構成とし、前記固定手段は、前記水タンク着脱部の天面から下方へ突出すると共に上方向へ移動可能な水タンク保持部と、この水タンク保持部を下方向へ付勢する付勢部と、前記本体ケースの一方側側面に設けた押しボタン部と、前記水タンク部を前記水タンク着脱部に装着すると、前記水タンク保持部が引っ掛かる前記タンク固定板部分に設けた窪みである水タンク保持受け部とからなり、前記押しボタン部を押すと前記水タンク保持部を上方へ移動する構成としたものであり、これにより、初期の目的を達成するものである。
【発明の効果】
【００１１】
以上のように本発明は、吸気口と排気口を有する本体ケースと、この本体ケース内に設けられた加湿手段と、前記吸気口から前記加湿手段を介し、前記排気口へ空気を送風する送風手段と、前記加湿手段に水を供給する水タンク部と、この水タンク部が装着可能な前記本体ケースの一方側側面に設けた窪みである水タンク着脱部と、この水タンク着脱部に前記水タンク部を固定可能な固定手段とからなり、前記水タンク部は、水を貯水可能なタンク部分と、このタンクに固定された前記本体ケースの一部となるタンク固定板部分とからなり、このタンク固定板部分には窪みであるタンク取手部分を備え、前記水タンク部は、前記水タンク着脱部に横方向から前記水タンク部の下面を中心に前記水タンク部の上面を回転することにより着脱可能な構成とし、前記固定手段は、前記水タンク着脱部の天面から下方へ突出すると共に上方向へ移動可能な水タンク保持部と、この水タンク保持部を下方向へ付勢する付勢部と、前記本体ケースの一方側側面に設けた押しボタン部と、前記水タンク部を前記水タンク着脱部に装着すると、前記水タンク保持部が引っ掛かる前記タンク固定板部分に設けた窪みである水タンク保持受け部とからなり、前記押しボタン部を押すと前記水タンク保持部を上方へ移動する構成としたものであり、水タンク部の水容量の更なる向上ができるものである。
【００１２】
すなわち、固定手段は、水タンク着脱部の天面から下方へ突出すると共に上方向へ移動可能な水タンク保持部と、この水タンク保持部を下方向へ付勢する付勢部と、本体ケースの一方側側面に設けた押しボタン部と、水タンク部を水タンク着脱部に装着すると、水タンク保持部が引っ掛かるタンク取手部分に設けた窪みである水タンク保持受け部とからなり、押しボタン部を押すと水タンク保持部を上方へ移動する構成となっている。
【００１３】
ここで、水タンク部には、水タンク保持部が引っ掛かるタンク取手部分に設けた窪みである水タンク保持受け部の部品だけなので、水タンク部の水容量の低下を低減できる。
【００１４】
これらの結果により、水タンク部の水容量の更なる向上ができるものである。
【図面の簡単な説明】
【００１５】
【図１】本発明の実施の形態１の加湿装置の概略図
【図２】同加湿装置の概略断面を示す図
【図３】同加湿装置の加湿手段の概略断面を示す図
【図４】同加湿装置の水タンク部の概略図
【図５】同加湿装置の水タンク部の固定手段の断面図
【図６】同加湿装置の水タンク部の固定手段の断面図
【発明を実施するための形態】
【００１６】
以下、本実施形態を添付図面を用いて説明する。
【００１７】
（実施の形態１）
図１から図４に示すように、本実施形態の加湿装置１は、吸気口２と排気口３を有する本体ケース４と、この本体ケース４内に設けた空気清浄手段５と、この空気清浄手段５の下流側に加湿手段６とを備えている。
【００１８】
吸気口２は、本体ケース４の両側面、および本体ケース４の前面下部とに位置し、排気口３は、本体ケース４の上面に位置している。
【００１９】
加湿手段６は、放湿部分と水供給部分と、この放湿部分を回転させる回転手段７とから形成されている。放湿部分は円板状の加湿フィルター部８と、この加湿フィルター部８を固定する略円環形状の加湿フィルター枠部９とから形成されており、加湿フィルター枠部９は外周部に給水部１０を備え、中央部に回転軸部１１を備えている。水供給部分は、天面が開口した略横長箱形状の水槽１２と、この水槽１２に一定量の水を供給する水タンク部１３とから形成している。水タンク部１３は、本体ケース４の一方側側面に設けた窪みである水タンク着脱部１６に装着可能である。
【００２０】
水タンク部１３は、タンク部分１８とタンク固定板部分１９とからなり、略横長箱形状の水槽１２の一方側短手辺部側に位置する。水タンク部１３を水タンク着脱部１６に装着した状態で、タンク部分１８は、下面に蓋２０を有する略箱形状の容器２１と、蓋２０に設けた弁（図示せず）とからなる。この弁から水タンク部１３内の水を水槽１２に供給するものである。
【００２１】
タンク固定板部分１９は、水平断面形状がＬ字の板形状で、タンク部分１８の側面に固定されている。水タンク部１３を水タンク着脱部１６に装着すると、タンク固定板部分１９は、本体ケース４の一部となる。タンク固定板部分１９は、本体ケース４における内方向の窪みであるタンク取手部分２２を備えている。水タンク部１３は、水タンク着脱部１６に横方向から水タンク部の蓋２０側の下面を中心に水タンク部１３の上面を回転することにより着脱可能な構成である。
【００２２】
加湿手段６と排気口３との間の風路には、送風手段１４を設けている。この送風手段１４によって本体の吸気口２から吸い込まれた空気は、空気清浄手段５、加湿フィルター部８を介して、排気口３から空気清浄、および加湿された空気が室内へ排気される。
【００２３】
本実施形態における特徴は、図４から図６に示すように、水タンク着脱部１６に水タンク部１３を固定可能な固定手段１７の構成にある。固定手段１７は、水タンク着脱部１６に設けた水タンク保持部２３と付勢部２４と押しボタン部２５と、水タンク部１３に設けた水タンク保持受け部２６とからなる。
【００２４】
水タンク保持部２３は、垂直面の板形状で、水タンク着脱部１６の天面から下方へ突出すると共に上方向へ移動可能である。
【００２５】
付勢部２４は、水タンク保持部２３を下方向へ付勢するバネである。
【００２６】
本体ケース４の一方側側面には、横長四角形状の開口２７を備えている。この開口２７に対向した本体ケース４内に、垂直面の板形状の押しボタン部２５を備えている。
【００２７】
水タンク保持受け部２６は、タンク取手部分２２に設けた下方向へ凹形状の窪みである。
【００２８】
以上の構成で、水タンク部１３を水タンク着脱部１６に装着すると、水タンク保持部２３が一度押し上げられた後、水タンク保持部２３が付勢部２４によって下方向へ下げられ、水タンク保持部２３の先端が水タンク保持受け部２６に入り、水タンク保持部２３が水タンク保持受け部２６に引っ掛かる。また、押しボタン部２５を押すと水タンク保持部２３が、上方へ移動するので、水タンク着脱部１６から水タンク部１３を取り出すことができる。
【００２９】
すなわち、固定手段１７の部品のうち、水タンク部１３に設けたものは、水タンク保持部２３が引っ掛かるタンク取手部分２２に設けた窪みである水タンク保持受け部２６の部品だけなので、水タンク部の水容量の低下を低減できる。
【００３０】
これらの結果により、水タンク部の水容量の更なる向上ができるものである。
【００３１】
また、タンク取手部分２２の上方に押しボタン部２５を備え、押しボタン部２５とタンク取手部分２２との距離は、タンク取手部分２２に人差し指を入れた状態で親指が押しボタン部２５に届く距離である。
【００３２】
これにより、タンク取手部分２２に人差し指、中指、薬指、小指を入れながら、親指で押しボタン部２５を押すことが出来るので、作業性が向上する。
【００３３】
また、押しボタン部２５は、本体ケース４における内方へ突出した板形状の垂直面である押しボタン突出部２８を備えている。この押しボタン突出部２８の先端は、上方から下方へ向かうにつれて本体ケース４における内方へ突出する押しボタン傾斜端部２９を有している。水タンク保持部２３は、本体ケース４における外方へ突出した板形状の垂直面である水タンク保持突出部３０を備えている。この水タンク保持突出部３０の先端は、下方から上方へ向かうにつれて本体ケース４における外方へ突出する水タンク保持傾斜端部３１を有している。押しボタン傾斜端部２９と水タンク保持傾斜端部３１とが接触する構成である。ここで、押しボタン突出部２８は、押しボタン部２５の上部に位置する構成である。
【００３４】
押しボタン部２５は、本体ケース４における内方へ押すと、押しボタン傾斜端部２９と水タンク保持傾斜端部３１とが接触しているので、押しボタン傾斜端部２９上を水タンク保持傾斜端部３１が滑りながら上方へ移動する。これにより、水タンク保持部２３は、付勢部２４によって下方へ付勢された状態ではあるが、上方へ移動するので、水タンク保持受け部２６から水タンク保持部２３が抜けるものである。
【００３５】
以上の構成で、タンク取手部分２２に人差し指、中指、薬指、小指を入れながら、親指の先端で押しボタン部２５を押すと、親指の爪は上方へ向いた状態となる。すなわち、親指の爪部分で押しボタン部２５を押すので、押しボタン部２５の上部を押されることとなる。ここで、押しボタン突出部２８は、押しボタン部２５の上部に位置するので、親指の爪からの力が伝わりやすく、押しボタン部２５の操作性が向上する。
【００３６】
また、本体ケース４の一方側側面で、押しボタン部２５の上方には、窪みである本体ケース取手部分３２を備えている。
【００３７】
すなわち、本体ケース取手部分３２の窪みは、押しボタン部２５より上方にあるので、本体ケース取手部分３２で本体ケース４を持ち上げても、誤って押しボタン部２５を押すことを防止できる。
【００３８】
また、水タンク部１３を水タンク着脱部１６に装着した状態で、タンク部分１８は、下面に蓋２０を有する略箱形状の容器２１と、蓋２０に設けた弁とからなる。水タンク部１３を本体ケース４から外し容器２１の蓋２０を上方にすると支持部３３が自動的に出現する。この支持部３３とタンク固定板部分１９とによって、水タンク部１３が自立するものである。この支持部３３と水タンク保持受け部２６とは、水タンク部１３が自立した状態で、水タンク部１３の下部に設けたものである。具体的には、容器２１の蓋２０に対向した面に近い対向した側面には、外方に延びた円柱形状の軸部３４を備えている。支持部３３はコの字形状で、両端内面には、軸受部３５を有している。これらの軸受部３５を軸部３４に装着すると、支持部３３は回転自在となる。これにより、水タンク部１３を本体ケース４から外し容器２１の蓋２０を上方にすると支持部３３が自重により自動的に出現するものである。
【００３９】
すなわち、水タンク部１３を水平面で、自立させた状態で、容器２１から蓋２０を外し、容器２１内へ水を入れることが出来る。ここで、シンクで水を入れる場合には、水タンク部１３の下部が水に濡れる場合があるが、水タンク保持受け部２６は、下方に開口した窪みなので、水が付着しにくいものである。仮に、水タンク保持受け部２６内に水が付着た状態で、水タンク部１３を水タンク着脱部１６に装着しても、水タンク保持部２３の先端が水タンク保持受け部２６に入るだけである。ここで、水タンク保持受け部２６の先端に水が付着しても、押しボタン傾斜端部２９と水タンク保持傾斜端部３１とが接触しているスライド機構は、水タンク保持受け部２６の先端より上方にあるので、スライド機構への水の付着は防止できる。なお、スライド機構に水が付着すると、付着した水からスケール    が析出し、スライド機構の可動性が低下する場合がある。
【００４０】
仮に、このスライド機構が水タンク部１３に備えられると、水タンク部１３を水タンク着脱部１６に装着した場合に、水がスライド機構に付着する場合がある。
【産業上の利用可能性】
【００４１】
以上のように本発明は、吸気口と排気口を有する本体ケースと、この本体ケース内に設けられた加湿手段と、前記吸気口から前記加湿手段を介し、前記排気口へ空気を送風する送風手段と、前記加湿手段に水を供給する水タンク部と、この水タンク部が装着可能な前記本体ケースの一方側側面に設けた窪みである水タンク着脱部と、この水タンク着脱部に前記水タンク部を固定可能な固定手段とからなり、前記水タンク部は、水を貯水可能なタンク部分と、このタンクに固定された前記本体ケースの一部となるタンク固定板部分とからなり、このタンク固定板部分には窪みであるタンク取手部分を備え、前記水タンク部は、前記水タンク着脱部に横方向から前記水タンク部の下面を中心に前記水タンク部の上面を回転することにより着脱可能な構成とし、前記固定手段は、前記水タンク着脱部の天面から下方へ突出すると共に上方向へ移動可能な水タンク保持部と、この水タンク保持部を下方向へ付勢する付勢部と、前記本体ケースの一方側側面に設けた押しボタン部と、前記水タンク部を前記水タンク着脱部に装着すると、前記水タンク保持部が引っ掛かる前記タンク固定板部分に設けた窪みである水タンク保持受け部とからなり、前記押しボタン部を押すと前記水タンク保持部を上方へ移動する構成としたものであり、水タンク部の水容量の更なる向上ができるものである。
【００４２】
すなわち、固定手段は、水タンク着脱部の天面から下方へ突出すると共に上方向へ移動可能な水タンク保持部と、この水タンク保持部を下方向へ付勢する付勢部と、本体ケースの一方側側面に設けた押しボタン部と、水タンク部を水タンク着脱部に装着すると、水タンク保持部が引っ掛かるタンク取手部分に設けた窪みである水タンク保持受け部とからなり、押しボタン部を押すと水タンク保持部を上方へ移動する構成となっている。
【００４３】
ここで、水タンク部には、水タンク保持部が引っ掛かるタンク取手部分に設けた窪みである水タンク保持受け部の部品だけなので、水タンク部の水容量の低下を低減できる。
【００４４】
これらの結果により、水タンク部の水容量の更なる向上ができるものである。
【００４５】
従って、家庭用や事務所用などの、加湿装置として活用が期待されるものである。
【符号の説明】
【００４６】
１  加湿装置
２  吸気口
３  排気口
４  本体ケース
５  空気清浄手段
６  加湿手段
７  回転手段
８  加湿フィルター部
９  加湿フィルター枠部
１０  給水部
１１  回転軸部
１２  水槽
１３  水タンク部
１４  送風手段
１６  水タンク着脱部
１７  固定手段
１８  タンク部分
１９  タンク固定板部分
２０  蓋
２１  容器
２２  タンク取手部分
２３  水タンク保持部
２４  付勢部
２５  押しボタン部
２６  水タンク保持受け部
２７  開口
２８  押しボタン突出部
２９  押しボタン傾斜端部
３０  水タンク保持突出部
３１  水タンク保持傾斜端部
３２  本体ケース取手部分
３３  支持部
３４  軸部
３５  軸受部
【図１】
2014190608.tif 000003
【図２】
2014190608.tif 000004
【図３】
2014190608.tif 000005
【図４】
2014190608.tif 000006
【図５】
2014190608.tif 000007
【図６】
2014190608.tif 000008